(57)【要約】【課題】外部装置を用いることで、容易に照射方向を補正することができる照射角度補正システムを有するプロジェクタを提供する。【解決手段】映像を映写するスクリーン108と、スクリーンに映像の映写が可能なレンズ及び照射方向を変更する回転軸を有する照射部100と、スクリーンに付けられた赤外線を照射する赤外線照射装置107と、赤外線照射装置から照射される赤外線を受信する赤外線検出部101と、その赤外線検出部内部にあり、水平面に対し角度をもち且つ複数枚配置した検出パネル106と、検出パネルで検出した赤外線レベルを判定するレベル判定部102と、赤外線のレベルに応じて回転軸を制御する制御部103とを備える構成を採る。  この構成により、簡易にスクリーンに対して、前後左右に傾くことによる画像のずれを補正することが可能となる。【選択図】図１
2007298665.tif 000002
【特許請求の範囲】
【請求項１】
映像を映写するスクリーンと、前記スクリーンに映像の映写が可能なレンズ及び照射方向を変更する回転軸を有する照射部と、スクリーンに付けられた赤外線を照射する赤外線照射装置と、前記赤外線照射装置から照射される赤外線を受信する赤外線検出部と、前記赤外線検出部内部にあり、水平面に対し角度をもち且つ複数枚配置した検出パネルと、前記検出パネルで検出した赤外線レベルを判定するレベル判定部と、前記レベル判定部により判定された赤外線のレベルに応じて前記回転軸を制御する制御部とを備えることを特徴とする照射角度補正システムを有するプロジェクタ。
【請求項２】
前記、赤外線照射装置は、受光素子を搭載しており、プロジェクタからの映像光などの光を受光した場合のみ、赤外線を照射することを特徴とする請求項１記載の照射角度補正システムを有するプロジェクタ。
【発明の詳細な説明】
【技術分野】
【０００１】
本発明は、映写装置を用いてスクリーンに映像を投影し、スクリーン上に映写された全体の画像を簡易に照射角度の補正するシステムおよび映写角度補正方法に関するものである。
【背景技術】
【０００２】
従来の映写機を使って映像をスクリーンに映写するシステムでは、左右又は上下の映写角度がずれていると映写された映像が左右又は上下で鮮明度に差異が生じる。従来は、映写機からスクリーンに映写された上下左右の映像の鮮明度を見て映写機を使用するユーザーが映写機本体もしくはスクリーン本体の位置及び角度を変えてスクリーン全体の映像が鮮明になるように調整していた。また、照射方向を調整するものが知られている。
【特許文献１】特開2003-57743号公報
【発明の開示】
【発明が解決しようとする課題】
【０００３】
しかしながら、スクリーン上に配置した赤外線照射部を複数持ち、複数の赤外線の到着時間差を検出しなければならず、簡易に照射方向を推定し、照射方向を補正することができないという問題があった。また、精密な画像補正が必要とされない、小型のプロジェクタシステムにおいて、簡易な照射角度の補正するシステムがないという問題もあった。
【０００４】
本発明は、このような問題を解決するためになされたもので、簡易に照射方向を推定し、照射方向を補正することを目的としている。
【課題を解決するための手段】
【０００５】
本発明の照射角度補正システムを有するプロジェクタは、上記目的を達成するために、
映像を映写するスクリーンと、前記スクリーンに映像の映写が可能なレンズ及び照射方向を変更する回転軸を有する照射部と、スクリーンに付けられた赤外線を照射する赤外線照射装置と、前記赤外線照射装置から照射される赤外線を受信する赤外線検出部と、前記赤外線検出部内部にあり、水平面に対し角度をもち且つ複数枚配置した検出パネルと、前記検出パネルで検出した赤外線レベルを判定するレベル判定部と、前記レベル判定部により判定された赤外線のレベルに応じて前記回転軸を制御する制御部とを備える構成としたものである。
【０００６】
この構成により、赤外線が入射する最大レベルとなる検出パネルがスクリーンとの水平面となり、簡易にスクリーンとの水平面を推定することができ、その水平方向にプロジェクタから照射する映像を補正するため、照射部の回転軸を制御することで、照射方向を補正し、スクリーンに映し出される映像は照射方向を補正した正しい映像となることとなる。
【０００７】
また、本発明の照射角度補正システムを有するプロジェクタのスクリーンに付けられた赤外線を照射する赤外線照射装置には、受光素子を搭載しており、プロジェクタからの映像光などの光を受光した場合のみに、赤外線を照射する構成も可能である。
【０００８】
この構成により、スクリーンにある程度の映像光が当たらない場合には、赤外線照射装置は動作をしないため、赤外線照射装置の消費電力を削減できることとなる。
【発明の効果】
【０００９】
上記構成により、本発明の照射角度補正システムを有することにより、簡易に照射方向の補正ができ、大型のプロジェクタのような精密な画像補正を有する高価な補正システムではなく、あまり精密な画像補正を有さなくても良い、簡易なプロジェクタ、例えば、携帯電話に小型のプロジェクタを実装したような装置のような、画面サイズとしても小さく、装置自体固定されていない（ある程度の力を加えると移動する）且つ精密な画像補正を必要としないシステムの照射方向補正に有利となり、また、簡易に照射方向の判定ができるため、小型プロジェクタには有利である。
【発明を実施するための最良の形態】
【００１０】
（実施の形態１）
以下、本発明の実施の形態について、図面を用いて説明する。
【００１１】
図１は、本発明の実施例１におけるプロジェクタの構成図である。
【００１２】
本発明の実施例１にかかるプロジェクタは、映像を映写するスクリーン108と、スクリーンに映像の映写が可能なレンズ及び照射方向を変更する回転軸を有する照射部100と、スクリーンに付けられた赤外線を照射する赤外線照射装置107と、赤外線照射装置から照射される赤外線を受信する赤外線検出部101と、その赤外線検出部内部にあり、水平面に対し角度をもち且つ複数枚配置した検出パネル106と、検出パネルで検出した赤外線レベルを判定するレベル判定部102と、赤外線のレベルに応じて回転軸を制御する制御部103とを備える構成を採る。
次に、本発明の第１の実施例の動作、および作用について図２を用いて説明する。
【００１３】
通常状態として、検出パネル106bに赤外線照射装置107が照射する赤外線を受光している場合にはスクリーン108と照射部100とは水平方向にあるため、照射方向の補正はない。仮に検出パネル106cの赤外線照射装置107が照射する赤外線のレベルがレベル判定部102において、最大となった場合、スクリーン108と照射部100は水平状態ではないため、照射方向の補正が必要になる。このときにプロジェクタ側で従来のような画像補正を計算するのではなく、あらかじめ検出パネル106cの赤外線受光が最大になった場合の補正値を制御部に記憶させておき、それを呼び出し、回転軸104を制御することでレンズ105の照射方向を簡易に変化させることができる。
【００１４】
以上により、簡易に照射方向の補正ができるため、安価に且つ省スペースで照射角度補正システムを提供することができる。
【００１５】
なお、回転軸104による照射方向の補正は、映像信号を処理補正することであってもよい。
【００１６】
なお、検出パネルは、例えば8面体のように上下左右に角度をつけて複数枚配置してもよい。
【００１７】
なお、赤外線照射装置107は、プロジェクタの蓋に内蔵し、使用時にマグネットなどでスクリーンに貼り付ける。または、スクリーンを固定する台などに内蔵してもよい。
（実施の形態２）
以下、本発明の実施の形態について、図面を用いて説明する。
【００１８】
図３は、本発明の実施例２におけるプロジェクタの構成図である。
【００１９】
実施例１と同等の構成の説明は省略する。
【００２０】
スクリーンに付けられた赤外線を照射する赤外線照射装置107には、受光素子109を搭載しており、赤外線照射装置107にプロジェクタからの映像光などの光を受光しない場合には、赤外線を照射しない機能を有することも可能である。
【００２１】
以上により、簡易に照射方向の補正ができるため、安価に且つ省スペース・省電力で照射角度補正システムを提供することができる。
【産業上の利用可能性】
【００２２】
以上説明したように、本発明の照射角度補正システムは、小型プロジェクタに限らずあらゆる照射部を有する映像の映写装置に利用することができる。
【図面の簡単な説明】
【００２３】
【図１】本発明の第1の形態における照射角度の補正するシステムの概略構成図
【図２】本発明の第1の形態における照射角度の補正するシステムの説明図
【図３】本発明の第２の形態における照射角度の補正するシステムの概略構成図
【符号の説明】
【００２４】
１００    照射部  
１０１    赤外線検出部  
１０２    レベル判定部
１０３    回転軸制御部
１０４    回転軸
１０５    レンズ
１０６    検出パネル
１０６a    検出パネルa
１０６b    検出パネルb
１０６c    検出パネルc
１０７    赤外線照射装置
１０８    スクリーン
１０９    受光素子
１１０    赤外線照射部
【図１】
2007298665.tif 000003
【図２】
2007298665.tif 000004
【図３】
2007298665.tif 000005